(57)【特許請求の範囲】
【請求項１】
本体前面に設けられ温風を吹き出す温風吹出口と、熱源となるバーナと、前記温風吹出口に前面が連通され前記バーナの熱が内部に放出される送風ボックスと、前記送風ボックスの他面に配置され前記バーナの熱を前記温風吹出口から送風させる送風ファンと、前記温風吹出口よりも少なくとも下側に大きい範囲を囲う吹出口枠と、前記吹出口枠に略水平から略垂直状態にまで回動可能に配置された可動ルーバと、前記可動ルーバの前端と後端の略中央に設けられた回転軸とを有し、前記吹出口枠は、その下辺に、この下辺より高い前記温風吹出口の下端高さから水平に延びた水平部と、前記水平部から段差を有して下がったルーバ前端収容部とが設けられ、前記可動ルーバが略垂直状態とされたときに、前記可動ルーバの前端が前記ルーバ前端収容部に収容されると共に、前記水平部の前端が前記可動ルーバの裏面に近接して位置するように構成されていることを特徴とする温風暖房機。
【請求項２】
前記水平部は、前記吹出口枠の下面から所定の高さ位置に板状部材を設けることにより形成されていることを特徴とする請求項１記載の温風暖房機。
【請求項３】
前記可動ルーバが略水平状態とされたときの前記可動ルーバの後端と、前記水平部の前端とを結ぶ仮想直線の延長線よりも下に前記吹出口枠の下辺近傍の前記本体前面が位置するように構成されていることを特徴とする請求項１または２記載の温風暖房機。
【発明の詳細な説明】
【技術分野】
【０００１】
本発明は、温風吹出口に可動ルーバを有した温風暖房機に関するものである。
【背景技術】
【０００２】
従来よりこの種の温風暖房機においては、温風吹出口に略水平から略垂直状態にまで回動可能な可動ルーバが設けられ、可動ルーバの傾斜角度を変えることで、温風の風向を任意に変更可能としたと共に、可動ルーバを略垂直状態とすることを可能としたものがあった（特許文献１参照）。
【先行技術文献】
【特許文献】
【０００３】
【特許文献１】特開２００３−１６６７５５号公報
【発明の概要】
【発明が解決しようとする課題】
【０００４】
しかし、この従来のものでは、可動ルーバを略垂直状態として外観のお手入れで可動ルーバの表面を拭き掃除等した場合に、可動ルーバが本体内に対して押しつけられて変形してしまう可能性があった。
【課題を解決するための手段】
【０００５】
そこで、本発明は上記課題を解決するため、本体前面に設けられ温風を吹き出す温風吹出口と、熱源となるバーナと、前記温風吹出口に前面が連通され前記バーナの熱が内部に放出される送風ボックスと、前記送風ボックスの他面に配置され前記バーナの熱を前記温風吹出口から送風させる送風ファンと、前記温風吹出口よりも少なくとも下側に大きい範囲を囲う吹出口枠と、前記吹出口枠に略水平から略垂直状態にまで回動可能に配置された可動ルーバと、前記可動ルーバの前端と後端の略中央に設けられた回転軸とを有し、前記吹出口枠は、その下辺に、この下辺より高い前記温風吹出口の下端高さから水平に延びた水平部と、前記水平部から段差を有して下がったルーバ前端収容部とが設けられ、前記可動ルーバが略垂直状態とされたときに、前記可動ルーバの前端が前記ルーバ前端収容部に収容されると共に、前記水平部の前端が前記可動ルーバの裏面に近接して位置するように構成されているものとした。
【０００６】
また、前記水平部は、前記吹出口枠の下面から所定の高さ位置に板状部材を設けることにより形成されているものとした。
【０００７】
また、前記可動ルーバが略水平状態とされたときの前記可動ルーバの後端と、前記水平部の前端とを結ぶ仮想直線の延長線よりも下に前記吹出口枠の下辺近傍の前記本体前面が位置するように構成されているものとした。
【発明の効果】
【０００８】
本発明によれば、可動ルーバを略垂直とした状態で可動ルーバを本体側へ押し込んでも、可動ルーバの裏面が吹出口枠内の水平部の前端に当接してそれ以上の押し込みが抑制されることにより、可動ルーバの変形を防止して、取扱い容易性、清掃性の向上を図ることができると共に、温風吹出口からの下向きの温風が水平部によって規制され、温風吹出口に近い床面温度上昇を抑制することができる。
【０００９】
また、水平部を板状部材で構成することで、水平部を容易に形成でき、製造容易性を確保することが出来る。
【００１０】
また、可動ルーバが略水平状態とされたときの可動ルーバの後端と水平部の前端とを結ぶ仮想直線の延長線よりも下に吹出口枠の下辺近傍の本体前面が位置することによって、温風吹出口から下向きに流れる温風が本体前面に直接接触することなく流れ出るため、高温温風による吹出口枠下辺近傍の本体前面の変色を防止することができる。
【図面の簡単な説明】
【００１１】
【図１】本発明の一実施形態の断面図
【図２】同一実施形態の要部拡大断面図
【図３】同一実施形態の要部外観斜視図
【発明を実施するための形態】
【００１２】
次に、本発明の一実施形態の温風暖房機１について図面に基づいて説明する。
２は温風暖房機１の本体前面を構成する前面板、３は本体側面および背面を構成する側面板、４は本体上面を構成する上面板、５は本体底面を構成する底面板、６は図示しない操作スイッチおよび表示器を有した操作部である。
【００１３】
７は前面板２の中心高さ付近に開口して設けられ温風を吹き出す温風吹出口、８は熱源となるバーナ、９はバーナ８を構成し火炎が形成されるバーナヘッド、１０はバーナ８を構成し燃料となる灯油を供給する燃料ノズル、１１はバーナ８に燃焼空気を供給する燃焼ファン、１２はバーナ８と燃焼ファン１１とを接続する燃焼空気パイプである。
【００１４】
１３は温風吹出口７に前面が連通されバーナヘッド９が内部に露出して設けられてバーナ８の熱が内部に放出される送風ボックス、１４は燃焼空間を区画する燃焼筒、１５は送風ボックス１３の背面のベルマウス１６位置にファンガード１７を介して配置され、外部からの空気を送風ボックス１３内に取り込んでバーナ８の熱を温風吹出口２から送風させる送風ファンである。ここで、送風ボックス１３は前面側上部が送風ボックス１３の前面側下部に位置する温風吹出口７へ向けて傾斜して形成され、送風ボックス１３内を流れる空気がスムースに温風吹出口７へ流れるようにされている。
【００１５】
１８は温風吹出口７と前面板２の開口部の間に設けられて温風吹出口７の周囲を囲う吹出口枠、１９は吹出口枠１８の前端位置に設けられ、略水平から略垂直状態にまで回動可能に配置された可動ルーバである。この可動ルーバ１９は、上可動ルーバ１９ａと下可動ルーバ１９ｂの２枚で構成され、各可動ルーバ１９ａ、１９ｂはその前端と後端の略中央で両側端にそれぞれ設けられた回転軸２０によって回動可能に吹出口枠１８に支持されていると共に、図示しないリンク機構によって単一のルーバモータ２１と連結され、ルーバモータ２１の駆動によって回転軸２０を中心にして略水平から略垂直状態にまで回動可能とされている。
【００１６】
２２は吹出口枠１８の下辺に設けられて温風吹出口７の下端高さから水平に延びた水平部で、吹出口枠１８の下面との間に隙間を有して温風吹出口７の下端高さから水平に延びた板状部材によって構成されている。この水平部２２は、温風吹出口７の幅とほぼ同じ長さを有し正面視凸状の断面を有した板状部材で構成しているため、高温に晒される部位に容易に耐久性の高い水平部２２を製造可能としている。
【００１７】
２３は水平部２２の前端と、この前端から段差を有して下がった吹出口枠１８の下面とで区画された空間より成るルーバ前端収容部で、下可動ルーバ１９ｂが略垂直状態とされたときに、下可動ルーバ１９ｂの前端が収容されるものである。
【００１８】
ここで、水平部２２は、下可動ルーバ１９ｂが略垂直とされて下可動ルーバ１９ｂの前端がルーバ前端収容部２３に収容された状態において、水平部２２の前端が下可動ルーバ１９ｂの裏面に近接して位置する長さとされている。
【００１９】
そして、操作部６の運転スイッチ（図示せず）が操作されて運転開始指示が入力されると、制御部（図示せず）は、バーナ８での燃焼を開始させ、送風ファン１５を駆動開始させると共に、ルーバモータ２１を駆動して略垂直状態で温風吹出口７を閉塞している上下の可動ルーバ１９を開き、バーナ８での火力が大きくなるほど略水平状態に近づく方向へ上下の可動ルーバ１９の角度を制御するようにしており、最大火力燃焼時、あるいは最大火力付近の所定火力以上の時に上下の可動ルーバ１９が略水平状態となるように制御されている。
【００２０】
この運転状態においては、送風ファン１５で外部から取り込まれて送風ボックス１３内を流れる空気に、燃焼筒１４から流出した燃焼ガスが混合されて高温の温風となって温風吹出口７から室内に送風される。このとき、温風吹出口７から吹き出される温風は、送風ボックス１３の前面上部の傾斜の影響で温風の下方向への流れ成分が強くなっているが、温風吹出口７から下向きに流れ出した温風は水平部２２によって規制されて前方向へ案内され、温風吹出口７に近い床面の温度上昇を抑制することができる。
【００２１】
また、図２の要部拡大断面図に示すように、下可動ルーバ１９ｂが略水平状態とされたときの下可動ルーバ１９ｂの後端と、水平部２２の前端を結んだ仮想直線の延長線よりも下に吹出口枠１８の下辺近傍の前面板２が位置する位置関係となるように構成しているため、最大火力または最大火力付近の温風温度が高い状態であっても、温風吹出口７から吹き出した温風が前面板２に直接接触することなく流れるため、美観が保たれることが期待される前面板２が高温温風により変色したりしてしまうことを防止することができる。
【００２２】
そして、運転スイッチが再び操作されて運転停止指示が入力されると、制御部は、バーナ８での燃焼を停止させ、送風ファン１５を停止すると共に、ルーバモータ２１を駆動して上下の可動ルーバ１９を略垂直状態にするようにしている。
【００２３】
上下の可動ルーバ１９を略垂直にして閉じた状態においては、下可動ルーバ１９ｂの裏面に近接して水平部２２の前端が位置するため、下可動ルーバ１９ｂを本体側へ押し込んでも、下可動ルーバ１９ｂの裏面が吹出口枠１８内の水平部２２に当接してそれ以上の押し込みが抑制されることにより、下可動ルーバ１９ｂの変形を防止して、取扱い容易性、可動ルーバの表面を拭き掃除での取扱い容易性を向上して清掃性の向上を図ることができる。
【００２４】
なお、本発明は上記の一実施形態に限定されるものではなく、発明の要旨を変更しない範囲で改変可能なものであり、例えば、燃料としてガスを用いる構成としたり、燃焼ガスと室内空気を熱交換して温風を生成し、燃焼ガスを屋外に放出する密閉燃焼式の温風暖房機としてもよいものである。
【００２５】
また、水平部２２を吹出口枠１８の下面との間に隙間を有して温風吹出口７の下端高さから水平に延びた板状部材によって構成する代わりに、吹出口枠１８の下面にプレス加工等によって段差を形成し、この段差の上面を水平部２２として構成するようにしてもよく、また、可動ルーバ１９として上下２枚の構成として説明したが、１枚または３枚以上の複数枚で構成するようにしてもよいものである。
【符号の説明】
【００２６】
１  温風暖房機
７  温風吹出口
８  バーナ
１３  送風ボックス
１５  送風ファン
１８  吹出口枠
１９  可動ルーバ
１９ａ  上可動ルーバ
１９ｂ  下可動ルーバ
２０  回転軸
２２  水平部
２３  ルーバ前端収容部
【図１】
0006483572.tif 000002
【図２】
0006483572.tif 000003
【図３】
0006483572.tif 000004